【事件の表示】
　平成１１年特許願第３４７６５１号「サイト案内システム」拒絶査定に対する審判事件［平成１２年　４月２８日出願公開、特開２０００−１２３１０５］について、次のとおり審決する。
【結　論】
　本件審判の請求は、成り立たない。
【理　由】
１．手続の経緯・本願の発明
　本願は、平成１１年１２月７日に出願したものであって、その特許請求の範囲の請求項１に係る発明は、平成１３年３月８日付けの手続補正によって補正された明細書と図面の記載からみて、その特許請求の範囲の請求項１に記載されたとおりのものと認める（以下、「本願発明」という。）。
「請求項１
ネットワークに接続された複数のサイト、および該各サイトに設定されたポイントを含むサイト情報を記憶するサイト情報記憶手段と、該サイト情報記憶手段に記憶された前記サイト情報の少なくとも一部を、画像表示装置に表示するサイト情報表示手段と、該サイト情報表示手段により表示されたサイト情報の中から利用者が利用したいサイトを指定するための指定手段と、該指定手段により指定を受けると、該指定を受けたサイトに対して設定された前記ポイントを前記利用者に付与するポイント付与手段と、該ポイント付与手段により付与されたポイントの合計が予め定められた値に達すると、該ポイントを貯えた前記利用者に特典を付与する特典付与手段とを備え、しかも前記サイト情報表示手段が、前記利用者に付与される前記ポイントの高い順に前記サイト情報を並べて表示するものであることを特徴とするサイト案内システム。」
　
２．引用例に記載の発明
　これに対して、原査定の拒絶の理由において引用された、本願の出願前に国内において頒布された刊行物である特開平１０−２５４９６８号公報（以下、「引用例１」という。）には、以下の（ア）〜（カ）が図面１、２と共に記載されている。
（ア）「通信ソフトにより端末操作を介して情報センターサーバにアクセスし、該情報センターサーバからコントロール情報を得る制御情報送信手段と、該情報センターサーバにより各ユーザーのアクセス情報に応じた動的ログデータが予め記録管理され、該動的ログデータのリアルタイムでのアクセス活用頻度に応じて前記制御情報送信手段により動的ニーズに対応した情報が情報センターサーバから各ユーザー側へ随時提供されるものであって、該情報センターサーバにはユーザー側の通信ソフトから送信されたアクセスログデータを記録させ、アクセスユーザーの特定、クリック箇所の特定等を行なうログ管理システムと、クリック対象箇所のポイント数をセンターサーバへ問い合わせ、ユーザーのポイントデーターベースを該当ポイント分加算することで会員データベースのポイントのフィールドにそのポイントをリアルタイムに積算させ、ユーザー側へ加算後のポイントを返信させてポイント更新状態にさせるポイント管理システムとを備えていることを特徴とするポイント管理システム。」（特許請求の範囲の【請求項１】参照）
（イ）前記通信ソフトからＷＷＷブラウザに送られたユーザーのＩＤ、ＵＲＬ情報をポイント関連サイトへ送り、該情報をポイント関連サイトから情報センターサーバにユーザー認証を行なった後、該確認情報をポイント関連サイトへ返信させると共に、ユーザーが会員であることが確認された場合に限り前記情報センターサーバにポイント管理情報をフィードバックするようにした請求項１記載のポイント管理システム。（特許請求の範囲の【請求項２】参照）
（ウ）「本発明に係るポイント管理システムにおいて、クリック対象箇所のポイント数を情報センターサーバ側のデータベースの問い合わせ、ユーザーのポイントデータベースに該当ポイント分加算することでもって会員データベースのポイントのフィールドにそのポイントをリアルタイムに積算させ、ユーザー側へ加算後のポイントを返信させてポイント更新状態にする。」（【０００６】参照）
（エ）「センターサーバ３側にはユーザー側の通信ソフト１から送信されたアクセスログデータを記録させ、アクセスユーザーの特定、クリック箇所の特定等を行なうログ管理システム５と、クリック対象箇所のポイント数をセンターサーバ３に問い合わせ、ユーザーのポイントデーターベースに該当ポイント分加算することで会員データベースのポイントのフィールドにそのポイントをリアルタイムに積算させ、ユーザー側へ加算後のポイントを返信させてポイント更新状態にさせるポイント管理システム６とを備えている。また、センターサーバ３内のＷＥＢサイト８あるいはセンターサーバ３外にある一般ＷＥＢサイト７があり、前記通信ソフト１からＷＷＷブラウザ４に送られたユーザーのＩＤ、ＵＲＬ情報をポイント関連サイトのＷＥＢページへ送り、該情報をポイント関連サイトからセンターサーバ３にてユーザー認証を行なった後、該確認情報をポイント関連サイトへ返信させると共に、ユーザーが会員であることが確認された場合に限り前記センターサーバ３にポイント管理情報をフィードバックするようにしてある。」（【０００８】参照）
（オ）「ユーザー側ではパソコン端末２において、特定のビル、広告等をクリックさせれば、そこからセンターサーバ３のログ管理システム５ヘアクセスしログ情報の記録と同時にアクセスユーザーの特定とクリック箇所の特定を実行し、ポイント管理システム６にてクリック箇所のポイント数をユーザーのポイントデーターベースに該当ポイント分加算する、そしてユーザー側へ加算後のポイントを返信し、ユーザー側でのパソコン端末２においてポイントが更新され得る状態となる。」（【０００９】参照）
（カ）「ビルや広告（Ｗｈａｔ’ｓ　Ｎｅｗ含む）には夫々予めそれをクリックすると何ポイント貯まるかという情報をもっている。ユーザーがある対象物をクリックすると、そのユーザーのログ情報がセンターサーバ３へ送信され、会員データベースのポイントのフィールドにそのポイントがリアルタイムに積算されていくのである。」（【００１１】参照）
　ところで、上記（イ）、（エ）の「センターサーバ３内のＷＥＢサイト８あるいはセンターサーバ３外にある一般ＷＥＢサイト７があり、前記通信ソフト１からＷＷＷブラウザ４に送られたユーザーのＩＤ、ＵＲＬ情報をポイント関連サイトのＷＥＢページへ送り、該情報をポイント関連サイトからセンターサーバ３にてユーザー認証を行なった後、該確認情報をポイント関連サイトへ返信させると共に、ユーザーが会員であることが確認された場合に限り前記センターサーバ３にポイント管理情報をフィードバックするようにしてある。」の記載から、引用例１のポイント管理システムは、ネットワークに接続された複数のポイント関連サイトを記憶する記憶手段を有すること、また、（ウ）の「クリック対象箇所のポイント数を情報センターサーバ側のデータベースの問い合わせ」、（エ）の「クリック対象箇所のポイント数をセンターサーバ３に問い合わせ」の記載からみて、該ポイント管理システムは、各ポイント関連サイトのポイントを含むポイント関連サイト情報を記憶する記憶手段を有することも明らかである。
　更に、上記「クリック対象箇所」の記載から、ユーザーがユーザーの端末に表示されたポイント関連サイト情報の少なくとも一部の情報から、選定すべき対象箇所をマウス等でクリックすることにより、利用したいポイント関連サイトを指定していることは明らかであるので、該ポイント管理システムは、ポイント関連サイト情報の少なくとも一部を画像表示装置に表示する表示手段と、ポイント関連サイトを指定するための指定手段を備えるものと認められる。
　そして、上記（ウ）、（エ）の「クリック対象箇所のポイント数をセンターサーバ３に問い合わせ、ユーザーのポイントデーターベースに該当ポイント分加算することで会員データベースのポイントのフィールドにそのポイントをリアルタイムに積算させ、ユーザー側へ加算後のポイントを返信させてポイント更新状態，にさせるポイント管理システム６とを備えている。」、（オ）、（力）の記載から、該ポイント管理システムは、指定手段により指定を受けると、該指定を受けたポイント関連サイトに対して設定されたポイントを利用者に付与する手段を備えることは明らかである。
　したがって、引用例１には、
「ネットワークに接続された複数のポイント関連サイト、および該各ポイント関連サイトに設定されたポイントを含むポイント関連サイト情報を記憶する記憶手段と、該記憶手段に記憶された前記サイト情報の少なくとも一部を、画像表示装置に表示する表示手段と、該表示手段により表示されたポイント関連サイト情報の中から利用者が利用したいポイント関連サイトを指定するための指定手段と、該指定手段により指定を受けると、該指定を受けたポイント関連サイトに対して設定された前記ポイントを前記利用者に付与する手段を備えるポイント管理システム」が記載されているものと認められる。
　
　同様に、本願の出願前に国内において頒布された刊行物である特開平９−３１９９７０号公報（以下、「引用例２」という。）には、以下の（ア）及び（イ）が記載されている。
（ア）「第２に、ユーザー（10）と商品取引業者（30）との間で、通信回線（20）を介して商品取引が成立した際に、当該商品取引の内容に応じて、商品取引業者（30）からユーザー（10）に対してサービスポイントを付与し、その後、商品取引業者（30）は、サービスポイントを有するユーザー（10）に対して、当該サービスポイントに応じたサービスを還元する電子商品取引のサービス提供方法である。」（【００１２】参照）
（イ）「上記抽選手段（38）は、復号化手段（36）により復号化されたサービスポイントの数が、予め設定された所定のポイント数に達したことを条件に、抽選を行い、抽選の結果、当選した場合には、当該ユーザー（10）に有利なサービスを提供するものである。上記有利なサービスとしては、例えばボーナスポイントやボーナス商品等の提供がある。」（【００２１】参照）
　ところで、上記（ア）及び（イ）の記載から、
　引用例２には、
「商品取引業者は、ユーザーにサービスポイントを付与し、そのサービスポイントの数が、予め設定された所定のポイント数に達したことを条件に、当該ユーザーに特典を与える」ことが記載されているものと認められる。
　
　同様に、本願の出願前に国内において頒布された刊行物である特開平９−１０１９９０号公報（以下、「引用例３」という。）には、以下の（ア）が図面とともに記載されている。
（ア）「「アンケートにお答えいただくとボーナスポイント進呈中！！」は、電子メール中のアンケートに回答入力するとボーナスポイントを顧客のポイント残高に加算するというメッセージを表示し、アンケートへの誘いを行ったものである。「ご覧になりたいアンケートを選んで下さい」は、電子メールのメールＮｏに対応づけた内容であって、ここではアンケートを最大６件まで表示し、選択を促す画面および選択してアンケート回答入力したときにボーナスポイントを右端に表示したものである。以上のように、画面上にアンケートにお答えいただくとボーナスポイントを進呈するメッセージを表示し、電子メールで顧客毎に配布した電子メール中の表示されたアンケートを見て回答入力を促すことが可能となる。」（【００６２】〜【００６４】参照）
　ところで、上記（ア）及び図９の記載から、
　引用例３には、
「複数の電子メールの各々にボーナスポイントが表示されているので、顧客は、そのボーナスポイントの表示により回答入力を促す」ことが記載されている。
　
３．本願発明と引用例に記載された発明との対比
　引用例１に記載された発明（以下、「後者」という。）の「ポイント関連サイト」及び「ポイント管理システム」は、それぞれの機能に照らしてみて、本願発明（以下、「前者」という。）の「サイト」及び「サイト案内システム」に相当するから、
　両者は、
「ネットワークに接続された複数のサイト、および該各サイトに設定されたポイントを含むサイト情報を記憶するサイト情報記憶手段と、該サイト情報記憶手段に記憶された前記サイト情報の少なくとも一部を、画像表示装置に表示するサイト情報表示手段と、該サイト情報表示手段により表示されたサイト情報の中か，ら利用者が利用したいサイトを指定するための指定手段と、該指定手段により指定を受けると、該指定を受けたサイトに対して設定された前記ポイントを前記利用者に付与するポイント付与手段とを備えるサイト案内システム」
　の点で一致し、
（１）前者が「ポイント付与手段により付与されたポイントの合計が予め定められた値に達すると、該ポイントを貯えた前記利用者に特典を付与する特典付与手段」を備えるのに対して、後者は、そのような手段を備えていない点、
（２）前者が「サイト情報表示手段が、利用者に付与される前記ポイントの高い順にサイト情報を並べて表示する」ものであるのに対して、
後者は、サイト情報をどの様に表示しているのか不明な点、
で相違しているものと認める。
　
４．当審の容易性の判断
　上記相違点（１）について、
　上記引用例２には、サービスポイントの数が、予め設定された所定のポイント数に達すると、ユーザーに特典を与えることが記載されているから、引用例２に記載の発明は、利用者がショッピングサイトにて指定したサイトを利用すると、該利用者にポイントが付与され、そのポイントが所定数に達すると利用者に特典を与えるものであり、そして、前者と同一の技術分野に属するものであるから、後者に引用例２に記載の上記記載事項を用いて本願発明のようにすることは、当業者が容易に推考できたことと認める。
　
　上記相違点（２）について、
　上記引用例３には、複数の電子メールの各々にボーナスポイントを表示することにより、電子メールの回答入力を促すことが記載されている。ところで、一般的に、パソコン上の画面に表示されている数値情報を値の高い、又は低い順に並べ換えることにより、利用者のニーズに対応した情報に変換することは、慣用的に行なわれていることであるから、後者に引用例３に記載の上記事項を用いて本願発明のようにすることは、当業者が容易に推考できたことと認める。
　そして、本願発明の効果は、引用例１〜３に記載の発明の効果から予測できる範囲内のものと認める。
　
５．むすび
　したがって、本願発明は、引用例１〜３に記載された発明に基づいて、当業者が容易に発明をすることができたものであるから、特許法第２９条第２項の規定により特許を受けることができない。
　よって、結論のとおり審決する。